(57)【要約】  本発明は、頂面、底面、及び頂面と底面を接続する３つ以上の側面によって形成される中空内部空間を有する本体と、響孔と、本体の中空内部空間に取り付けられ、頂面の複数の開口部を通って突き出る複数の構成要素取付シャフトと、本体の中空内部空間に取り付けられ、底面の複数の開口部を通って突き出る複数の脚部シャフトと、複数の構成要素取付シャフトのうちの１つ又は複数に取り付けられる１つ又は複数の打楽器モジュールであって、各々が、叩かれるか又は擦られることに応じて音を生成する打楽器モジュールと、３つ以上の側面のうちの第１の側面を叩いて音を生成するように位置するビーターを含むキックペダルとを備える小型ドラムキットに関する。
2020507820.tif 000002
【特許請求の範囲】
【請求項１】
中空内部空間を具備する本体であって、前記中空内部空間が、スネアドラムを備えている頂面、底面、前記頂面と前記底面とを接続している３つ以上の側面、及び響孔によって形成されている、前記本体と、
上向きに延在している複数の構成要素取付シャフトであって、前記本体の前記中空内部空間に取り付けられており、且つ、前記本体の複数の開口部を貫通して突出している前記構成要素取付シャフトと、
前記本体の前記中空内部空間に取り付けられており、且つ、前記本体の複数の前記開口部を貫通して突出している複数の脚部シャフトと、
複数の前記構成要素取付シャフトのうち１つ以上の構成要素取付シャフトに取り付けられている１つ以上の打楽器モジュールであって、叩かれたこと又は擦られたことに反応して音を生成する前記打楽器モジュールと、
３つ以上の前記側面のうち第１の側面を叩くことによって音を生成するように位置決めされているビーターを含んでいるキックペダルと、
を備えていることを特徴とする小型ドラムキット。
【請求項２】
前記本体の前記中空内部空間が、複数の前記構成要素取付シャフト、複数の前記脚部シャフト、１つ以上の前記打楽器モジュール、及び前記キックペダルを格納可能とされることを特徴とする請求項１に記載の小型ドラムキット。
【請求項３】
前記本体が、直方体とされることを特徴とする請求項１に記載の小型ドラムキット。
【請求項４】
１つ以上の前記打楽器モジュールが、タムタム、ハイハットシンバル、及びシンバルのうち少なくとも１つとされることを特徴とする請求項１に記載の小型ドラムキット。
【請求項５】
中空内部空間を具備する本体であって、前記中空内部空間が、頂面、底面、及び前記頂面と前記底面とを接続する３つ以上の側面によって形成されている、前記本体と、
響孔と、
前記本体の前記中空内部空間に取り付けられており、且つ、前記本体の複数の開口部を貫通して突出している複数の構成要素取付シャフトと、
前記本体の前記中空内部空間に取り付けられており、且つ、前記本体の複数の開口部を貫通して突出している複数の脚部シャフトと、
複数の前記構成要素取付シャフトのうち１つ以上の構成要素取付シャフトに取り付けられている１つ以上の打楽器モジュールであって、叩かれたこと又は擦られたことに反応して音を生成する前記打楽器モジュールと、
３つ以上の前記側面のうち第１の側面を叩くことによって音を生成するように位置決めされているビーターを含んでいるキックペダルと、
複数の前記脚部シャフトのうち２つの脚部シャフトに取り付けられており、且つ、２つの前記脚部シャフトの間に延在しているキックペダル取付バーであって、前記キックペダルが、固定位置において前記キックペダル取付バーに取り付けられている、前記キックペダル取付バーと、
を備えていることを特徴とする小型ドラムキット。
【請求項６】
複数の前記構成要素取付シャフトと複数の前記脚部シャフトとが、高さ調整可能とされることを特徴とする請求項１に記載の小型ドラムキット。
【発明の詳細な説明】
【技術分野】
【０００１】
本開示は、概して楽器に関し、より詳細にはドラムセットに関する。
【背景技術】
【０００２】
ドラムキット、ドラムセット、トラップセット、又は単にドラムは、１人の演奏者によって演奏され／叩かれるように構成されたドラム及び他の打楽器の集合である。従来のドラムキットは、ドラム（従来、膜鳴楽器、ホルンボステル−ザックスハイレベル分類２として分類される）と体鳴楽器（ホルンボステル−ザックスハイレベル分類１、最も重要な楽器はシンバルであるが、たとえばウッドブロック及びカウベルを含む）が混ざった集合からなる。より最近では、キットは、現在広く使用されているハイブリッドキットと完全に電子的なキットの両方を含む電子楽器（ホルンボステル−ザックス分類５３）も含んでいる。
【０００３】
ポピュラー音楽で使用され多くの音楽学校で指導されている標準的な現代のキット（右利き演奏者用）は、スタンドの上に取り付けられ、演奏者の膝の間に配置され、ドラムスティック（リユート又はブラシを含むことがある）によって演奏されるスネアドラムと、右足によって操作されるペダルによって演奏されるバスドラムと、スティックによって演奏される１つ又は複数のシンバルとを含む。
【０００４】
これらはすべて、単音程打楽器として分類され、これらについては、打楽器用記譜を使用して音楽を記録することが可能であり、記譜に関しては、ドラムキット用の大まかな準標準化形態が存在する。これらのドラムのうちのいくつか又はすべてを電子ドラムによって置き換えた場合、記譜はそのままであり、かつたいていの場合配置もそのままであり、標準的な指導手法が可能になる。ドラムキットは通常、ドラムスツール又はスローンに座って演奏される。ドラムキットは概して、ピアノ又は弦楽器など、本来メロディー又は和音／音程を生成する他の楽器と音楽的には並行して配置されることが多いにもかかわらず、そのような伝統的な楽器とは異なる。
【０００５】
多くのドラム奏者は、この基本パターンに対してキットを拡張し、より多くのドラム、より多くのシンバル、及び音程打楽器を含むより多くの他の楽器を追加する。いくつかの音楽形式では、たとえば、ヘビーメタル音楽におけるダブルバスドラムのように特定の拡張が一般的に行われる。一方でより稀ではあるが、演奏者によっては、音楽形式及び個人の好みにも応じて、場合によっては基本構成の要素を省略する。
【図面の簡単な説明】
【０００６】
【図１】ｇｏドラムの例示的な実施形態の側面図である。
【図２】ｇｏドラムの例示的な実施形態の正面図である。
【図３】ｇｏドラムの例示的な実施形態の背面図である。
【図４】ｇｏドラムの例示的な実施形態の側面図である。
【図５】ｇｏドラムの例示的な実施形態の例示的なキックペダルの拡大図である。
【図６】ｇｏドラムの例示的な実施形態の上面図である。
【図７】ｇｏドラムの例示的な実施形態の別の側面図である。
【図８】ｇｏドラムの例示的な実施形態の内部の図である。
【図９Ａ】ｇｏドラムの例示的な実施形態の底面背面斜視図である。
【図９Ｂ】ｇｏドラムの例示的な実施形態の上部背面斜視図である。
【図１０】ｇｏドラムの別の例示的な実施形態の側面図である。
【図１１Ａ】例示的なハイハットペダルの斜視図である。
【図１１Ｂ】例示的なハイハットペダルの上面図である。
【図１１Ｃ】例示的なハイハットペダルの側面図である。
【図１２Ａ】例示的なタムの上面図である。
【図１２Ｂ】例示的なタムの側面図である。
【図１２Ｃ】例示的なタムの底面図である。
【図１３Ａ】別の例示的なタムの上面図である。
【図１３Ｂ】別の例示的なタムの側面図である。
【図１３Ｃ】別の例示的なタムの底面図である。
【図１３Ｄ】例示的な旋回式取付部の底面斜視図である。
【図１３Ｅ】例示的な旋回式取付部の背面図である。
【図１３Ｆ】例示的な旋回式取付部の正面図である。
【図１３Ｇ】例示的な旋回式取付部の上面図である。
【図１３Ｈ】例示的な旋回式取付部の底面図である。
【図１３Ｉ】例示的な旋回式取付部の側面図である。
【図１４Ａ】構成要素が存在しないｇｏドラムの例示的な内部を示す図である。
【図１４Ｂ】構成要素が存在するｇｏドラムの例示的な内部を示す図である。
【図１５】ｇｏドラムの別の例示的な実施形態の上面図である。
【図１６】ｇｏドラムの別の例示的な実施形態の別の上面図である。
【図１７】ｇｏドラムの別の例示的な実施形態の第３の上面図である。
【図１８】ｇｏドラムの別の例示的な実施形態の側面図である。
【図１９】ｇｏドラムの別の例示的な実施形態の別の側面図である。
【発明を実施するための形態】
【０００７】
従来のドラムセットは、非常に大型であり、多数の構成要素を備えるとともに、多くが大型である構成要素を備える。従来のドラムセットは、高価であり広い空間を占有するので生徒にとって理想的なものではない。従来のドラムセットは、目標が生徒にドラムをどのように演奏するかを教えることである教室の環境にとっても理想的なものではない。ｇｏドラムは一体型ドラムキットである。ｇｏドラムは、小型で、多機能で、運搬が容易である自給式のドラムキットである。
【０００８】
各図は、ｇｏドラムとも呼ばれる、一体型ドラムキット１００の例示的な実施形態を示す。次に、本開示の実施形態を詳細に参照する。実施形態の１つ又は複数の例が図示されている。各例は、本開示の限定ではなく説明のために提示されている。すなわち、当業者には、本開示の範囲又は趣旨から逸脱せずに本開示に様々な修正及び変形を施すことができることが明らかになろう。たとえば、一実施形態の一部として図示又は説明する特徴を別の実施形態に使用してさらに別の実施形態を生成することができる。したがって、本開示は、そのような修正及び変形を添付の特許請求の範囲及びその均等物の範囲内のものとして対象とするものである。
【０００９】
図１は、本開示によるｇｏドラム１００の例示的な実施形態の側面図を示す。ｇｏドラム１００は概して、本体１０２を含む。本体１０２は、中空内部空間を備え、頂面と、底面と、頂面と底面を接続する３つ以上の側面とによって形成されてもよい。本体１０２の特定の実施形態は、限定はしないが、立方体と、丸くもしくは任意の他の多角形の頂面と底面とを有する円筒形と、方形もしくは任意の他の多角形を備える底面を有する正立ピラミッド形もしくは逆ピラミッド形、ピラミッド形全体もしくはその２分の１と、円錐全体又はその２分の１とを含む、任意の３次元形状の多側面体であってもよい。特定の実施形態では、本体１０２は、箱形、木箱形、ケース形、収納箱形、ボンゴ形、支持ドームを有する多角形、又は演奏されたときにドラムのような音を発する任意の他の形状であってもよい。特定の実施形態では、本体１０２の側面、円筒形の側面は、頂面及び底面に垂直であってもよく、又は側面は、非垂直であり、本体１０２の頂面及び底面に対して９０°よりも大きいかもしくは小さい角度を有してもよい。本体１０２は、限定はしないが、木材、カーボンファイバー、ガラス繊維、金属、プラスチックなどを含む任意の適切な材料で作られてもよい。
【００１０】
特定の例示的な実施形態では、本体１０２がドラムとして振舞うのを可能にする本体１０２のいくつかの特徴がある。特定の実施形態では、本体１０２は、本体１０２の側面に響孔１０４を有し、響孔１０４から、本体１０２の頂面が叩かれるかそれとも別の側面が叩かれるかに応じて音を発する。図４に示すように、本体１０２は、ドラムキック１８０によって叩かれることがある側面１０２Ａを有する。ドラムキック１８０が側面１０２Ａを叩くと、響孔１０４内を音が伝わる。特定の実施形態では、側面１０２Ａは、本体１０２と同じ材料で構成されてもよい。特定の実施形態では、側面１０２Ａは、マイラー樹脂で構成されてもよい。特定の実施形態では、側面１０２Ａはチューニング可能であってもよい。特定の実施形態では、側面１０２Ａは、チューニング可能でありマイラー樹脂で構成されてもよい。
【００１１】
図６に示すように、本体１０２の頂面は、叩かれてもよい頂面構成要素１４０を有する。頂面構成要素１４０が叩かれると、響孔１０４内を音が伝わる。特定の実施形態では、ｇｏドラム１００は、本体１０２の特定の側面上に響孔１０４を有するが、響孔はｇｏドラム１００の任意の側面上に位置してもよい。特定の実施形態では、ｇｏドラム１００は、響孔を有さなくてもよく、又は１つよりも多い任意の数の響孔を有してもよい。特定の実施形態では、響孔１０４は、非常に小さいものから側面全体まで任意のサイズを備えてもよく、又は本体１０２の底面が開放され、機能的に響孔として振舞ってもよい。
【００１２】
構成要素シャフト１０８は、内部キャビティ１２０から、本体１０２の孔１０７を出て本体１０２の外部まで延びている。図１に示すような特定の例示的な実施形態では、４つの孔１０７があり、そこから３本の構成要素シャフト１０８が突き出ており、１本の構成要素シャフト１０８は、本体１０２の頂面の下方の、本体１０２内部キャビティ内に引っ込んだままになっている。特定の実施形態では、特定のｇｏドラム１００用の所望の構成要素の数に応じて、本体１０２から突き出る構成要素シャフト１０８の数はこれより多くても又は少なくてもよい。構成要素シャフト１０８は、構成要素シャフトロック機構１０６によって所定の位置に固定される。構成要素シャフトロック機構１０６は、構成要素シャフト１０８のロック及びロック解除を行い、構成要素シャフト１０８が本体１０２に自由に出入りするのを可能にするか、又は構成要素シャフト１０８を特定の位置に堅固に固定するのを可能にする。特定の実施形態では、構成要素シャフトロック機構１０６は、構成要素シャフト１０８がその長さ方向軸上で回転するか、又は本体１０２に対して固定回転状態のままにするのを可能にしてもよい。構成要素シャフトロック機構１０６は、つまみネジ又は蝶ネジとして示されているが、構成要素シャフトロック機構１０６は任意の適切なロック機構であってもよい。構成要素シャフト１０８は、図１では本体１０２の内部から突き出るように示されているが、特定の実施形態では、構成要素シャフトはその代わりに、本体１０２の外部に取り付けられ、本体１０２の外部の位置である所定の位置にシャフトロック機構によって固定されてもよい。特定の実施形態では、本体１０２の外部に取り付けられた構成要素シャフトはさらに、構成要素を保持するために引き上げられるか又はｇｏドラム１００を格納し輸送するために押し下げられてもよい。
【００１３】
図に示す例示的な実施形態では、構成要素シャフト１０８は、その長さの一部については直線状であり、その長さの別の部分については湾曲している。構成要素シャフト１０８の直線状部分は主として、構成要素シャフト１０８が完全に本体１０２内に引っ込んだ状態から構成要素シャフト１０８の全長に亘って完全に延ばされるまで様々な高さにおいてロックされることがあり、しかも、構成要素シャフトロック機構１０６によって所定の位置にロックされることがあるような部分である。特定の実施形態では、構成要素シャフト１０８の湾曲部分は、“ｓ”字状に湾曲するか、又は各構成要素が本体１０２の上方に固定されるのを可能にする任意の他の程度又は角度に湾曲してもよい。特定の実施形態では、構成要素シャフトは、その長さに沿って全体的に直線状であってもよく、又は本体１０２の外部に構成要素を締結するのを容易にするためにその長さに沿って任意の他の形状を有してもよい。
【００１４】
構成要素シャフト１０８は、平滑であっても、節が形成されていても、又はキー溝を有してもよい。特定の実施形態では、構成要素シャフト１０８の一部は平滑であってもよく、構成要素シャフト１０８の別の部分には節が形成されていてもよい。特定の実施形態では、構成要素シャフト１０８は、全体的に平滑であっても、節が形成されていても、又はキー溝を有してもよい。特定の実施形態では、構成要素シャフト１０８は中実であっても又は中空であってもよい。特定の実施形態では、構成要素シャフト１０８は、限定はしないが、木材、カーボンファイバー、ガラス繊維、金属、又はプラスチックを含む任意の適切な材料で作られてもよい。
【００１５】
各図に示すように、様々な構成要素が様々な構成要素シャフトに取り付けられる。特定の実施形態では、構成要素はカラーロックによって構成要素シャフトに取り付けられてもよく、それによって構成要素は所定の位置に固定される。特定の実施形態では、構成要素は、構成要素シャフト上に位置してもよい。特定の構成要素が特定の構成要素シャフトに取り付けられるように示されているが、当業者には、構成要素の各々が異なる構成において異なる構成要素シャフトに取り付けられてもよいことを理解されたい。図１では、構成要素１５０、１６０、及び１７０の各々は、特定の構成要素シャフト１０８に取り付けられる。
【００１６】
図１に示すように、構成要素１５０は、構成要素シャフト１０８上に固定される。特定の例示的な実施形態では、構成要素１５０は、１つ又は複数のタムタムであってもよい。特定の実施形態では、構成要素１５０は、代表的なタムタムドラム、すなわち、シェルとリムとヘッドとを備えるスネアを有さない円筒形ドラムを備えるタムタムドラムであってもよい。特定の例示的な実施形態では、構成要素１５０は、フレームとヘッドとを備えるタムタムである。特定の実施形態では、構成要素１５０のタムタムは、マイラー樹脂を含むヘッドを有する。特定の実施形態では、構成要素１５０の各タムタムは、異なるサイズ及び高、中、又は低などの異なる音程であってもよい。特定の実施形態では、構成要素１５０のタムタムは、限定はしないが、円形、矩形、又は複数の側面を有する他の多角形を含む任意の形状を備えるフレームを有してもよい。特定の実施形態では、構成要素１５０のタムタムは調整可能であってもよく、それによって、異なるピッチの音を発するようにチューニングされてもよい。
【００１７】
図１に示すように、構成要素１６０は、構成要素シャフト１０８上に固定される。特定の例示的な実施形態では、構成要素１６０はシンバルであってもよい。特定の実施形態では、構成要素１６０は１つ又は複数のシンバルであってもよい。特定の実施形態では、構成要素１６０は、クラッシュシンバル、ライドシンバル、又はクラッシュ／ライドシンバルであってもよい。
【００１８】
図１に示すように、構成要素１７０は構成要素シャフト１０８上に固定される。特定の例示的な実施形態では、構成要素１７０はハイハットシンバルの対である。ハイハットペダル１７２は、本体１０２の左に示されており、ドラム奏者の左足がプリングコネクタ１７４を介してハイハットペダル１７２を操作し、それによって、構成要素１７０が音を発してもよい。特定の実施形態では、プリングコネクタ１７４は、非弾性的であっても又は弾性的であってもよいストリング、ロープ、又はワイヤであってもよい。
【００１９】
図１に示すように、ドラムキック１８０は、本体１０２の右に位置し、それによって、ドラム奏者の右足がドラムキック１８０を操作してもよい。図５は、ｇｏドラム１００の例示的な実施形態の例示的なキックペダル１８０の拡大図を示す。特定の例示的な実施形態では、ドラムキック１８０は、ドラムペダル１８１と、ドラムペダルベース１８２と、キックペダルバー１８３と、ビーターマウント１８４と、スプリング１８５と、コネクタ１８６と、ビーターエクステンション１８７と、ビーター１８８とを備える。特定の実施形態では、キックペダルバー１８３は、ドラムキック１８０を所定の位置に固定するためにバー１１４に取り付けられてもよい。ドラムペダル１８１は、下に押されると、コネクタ１８６を下向きに引く。ビーターマウント１８４の構成に起因して、コネクタ１８６がドラムペダル１８１によって下向きに引かれると、コネクタ１８６はまた、同時にビーターエクステンション１８７を本体１０２の側面１０２Ａの方へ引き、それによってビーター１８８が側面１０２Ａを叩く。ドラムペダル１８１が放されると、ドラムキック１８０の各可動構成要素が逆方向に動く。その理由は、スプリング１８５がビーターエクステンション１８７をコネクタ１８６の逆方向に引き、ドラムペダル１８１、コネクタ１８６、ビーターエクステンション１８７、及びビーター１８８をそれらの元の位置に戻すからである。
【００２０】
脚部シャフト１１２は、本体１０２の内部キャビティから、本体１０２の底面の孔を出て本体１０２の外部に延びる。図９Ａに示すような特定の例示的な実施形態では、４つの脚部シャフト１１２がある。特定の実施形態では、ｇｏドラム１００を演奏するための所望の位置において本体１０２を支持するのに必要な脚部シャフトの数に応じて本体１０２から突き出る脚部シャフト１１２の数はこれより多くても又は少なくてもよい。脚部シャフト１１２は、脚部シャフトロック機構１１０によって所定の位置に固定される。脚部シャフトロック機構１１０は、脚部シャフト１１２のロック及びロック解除を行い、脚部シャフト１１２が本体１０２に自由に出入りするのを可能にするか、又は脚部シャフト１１２を特定の位置に堅固に固定するのを可能にする。特定の実施形態では、脚部シャフトロック機構１１０は、脚部シャフト１１０がその長さ方向軸上で回転するか、又は本体１０２に対して固定回転状態のままにするのを可能にしてもよい。脚部シャフトロック機構１１０は、つまみネジ又は蝶ネジとして示されているが、脚部シャフトロック機構１１０は任意の適切なロック機構であってもよい。特定の実施形態では、脚部シャフト１１２は、その長さに沿って全体的に直線状であってもよく、又はｇｏドラム１００を演奏できるのに望ましい位置に本体１０２を維持するのを容易にするように、その長さに沿って任意の他の形状であってもよい。
【００２１】
脚部シャフト１１２は、平滑であっても、又は節が形成されていても、又はキー溝を有してもよい。特定の実施形態では、脚部シャフト１１２の一部は平滑であってもよく、脚部シャフト１１２の別の部分には節が形成されていてもよい。特定の実施形態では、脚部シャフト１１２は、全体的に平滑であっても、節が形成されていても、又はキー溝を有してもよい。特定の実施形態では、脚部シャフト１１２は中実であっても又は中空であってもよい。特定の実施形態では、脚部シャフト１１２は、限定はしないが、木材、カーボンファイバー、ガラス繊維、金属、又はプラスチックを含む任意の適切な材料で作られてもよい。
【００２２】
特定の例示的な実施形態では、バー１１４は、２本の脚部シャフト１１２に固定され、２本の脚部シャフト間の距離全体に亘って延びている。特定の実施形態では、ハイハットペダルバー１７３又はキックペダルバー１８３は、クランプなどによってバー１１４に堅固に締結される。特定の実施形態では、バー１１４は、ハイハットペダルバー１７３又はキックペダルバー１８３を受容する１つ又は複数のスリットを有してもよい。１つ又は複数のスリットは、ハイハットペダルバー１７３又はキックペダルバー１８３をバー１１４に固着するのを可能にする。
【００２３】
図６は、ｇｏドラムの例示的な実施形態の上面図を示す。特定の実施形態では、頂面構成要素１４０はスネアドラムであってもよい。特定の実施形態では、頂面構成要素１４０は、本体１０２から独立しており、単に本体１０２上に配置されてもよい。特定の実施形態では、頂面構成要素１４０は、本体１０２の頂面に組み込まれてもよく、その場合、本体１０２の頂面は、構成要素１４０の叩くことが可能な表面を囲むフレームを備える。特定の実施形態では、本体１０２の頂面自体が頂面構成要素１４０であってもよい。特定の実施形態では、構成要素１４０はマイラー樹脂で構成されてもよい。特定の実施形態では、構成要素１４０はチューニング可能であってもよい。特定の実施形態では、構成要素１４０はチューニング可能であり、マイラー樹脂で構成されてもよい。
【００２４】
特定の実施形態では、本体１０２は、様々なサイズを有し、したがって、様々な程度のコンパクトさ及び可搬性を有する。特定の実施形態では、本体１０２は、中空内部空間を有し、ｇｏドラム１００を構成する構成要素の各々を収容するための特定のサイズを有する。図８は、ｇｏドラムの例示的な実施形態の内部の図を示す。図８は、本体１０２の内部キャビティ１２０の図を示す。内部キャビティ１２０内には、構成要素シャフト１０８及び脚部シャフト１１２の各々を支持するためのシャフト支持キャビティ１２１がある。シャフト支持キャビティ１２１は、本体１０２の内部キャビティ１２０から延びる構成要素シャフト及び脚部シャフトの数に応じて単一のキャビティを備えても又は１つよりも多いキャビティを備えてもよい。特定の実施形態では、シャフト支持キャビティ１２１は、内部キャビティ１２０とは異なり、本体１０２の外側に位置してもよい。特定の実施形態では、シャフト支持キャビティ１２１は、本体１０２の頂面と底面との間の距離全体に亘って延びてもよく、又はシャフト支持キャビティ１２１は、本体１０２の頂面と底面との間の距離の一部のみに亘って延びてもよい。特定の実施形態では、複数のシャフト支持キャビティ１２１があってもよい。シャフト支持キャビティ１２１は、本体１０２の頂面又は底面に面する開口部を有してもよい。
【００２５】
特定の実施形態では、ｇｏドラムは極めて可搬性の高い、包括的なドラムセットである。詳細には、可搬性はｇｏドラムの特定の利点である。特定の実施形態では、ｇｏドラムの構成要素が完全に内部に格納された状態になると、本体１０２から突き出すものがほとんどなく、それによってｇｏドラムは可搬性が非常に高くなり、持ち運びが容易である。図９Ａは、ｇｏドラムの例示的な実施形態の底面背面斜視図を示す。図９Ｂは、ｇｏドラムの例示的な実施形態の頂面背面斜視図を示す。図９Ａ及び図９Ｂの各々において、ｇｏドラム１００は、構成要素が内部に格納された構成で示されている。このことは、構成要素シャフト１０８が本体１０２の孔１０７内に引っ込められ、脚部シャフト１１２が本体１０２内に引っ込められ、バー１１４が本体１０２の底面に位置し、構成要素のすべてが本体１０２の内部キャビティ１２０内に格納されている。図９Ａ及び９Ｂの例示的な実施形態では、ｇｏドラム１００は最も可搬性の高い構成である。特定の実施形態では、ストラップ１１８は、本体１０２に取り付けられてもよく、人が容易にｇｏドラム１００を持ち運ぶのが可能になる。ストラップ１１８は、単一のストラップであっても又は複数のストラップであってもよい。ストラップ１１８は、人がｇｏドラム１００をメッセンジャーバッグ、パース、又はバックパックとして持ち運ぶのを可能にするように構成されてもよい。
【００２６】
特定の例示的な実施形態では、ｇｏドラム１００はハンドヘルド１１６によって持ち運ばれてもよい。各図では、ハンドヘルド１１６はｇｏドラム１００の本体１０２の正面側及び背面側に示されているが、ハンドヘルド１１６は本体１０２の任意の側に配置することができる。各図に示すように、ハンドヘルド１１６の特定の例示的な実施形態は、本体１０２の細長い孔を備える。特定の実施形態では、本体１０２上に１つ又は複数のハンドヘルド１１６があってもよい。特定の実施形態では、ハンドヘルド１１６は、ストラップ、グリップ、突起、又は人がｇｏドラム１００を持ち運ぶのを可能にする任意の他の機構であってもよい。
【００２７】
ｇｏドラム１００の特定の実施形態は、アコースティックであっても、電気音楽であっても、又はＭＩＤＩであってもよい。ｇｏドラム１００の特定の実施形態は、本体１０２及び各構成要素上に戦略的に配置された特定の種類のピックアップを追加することによって、増幅又はデジタル化されたサウンドを生成してもよい。
【００２８】
ｇｏドラム１００上には示されていないが、本体１０２は、ドラムスティックを格納し取り出すために本体１０２に取り付けられた別の孔又はリセプタクルを有してもよい。
【００２９】
図１０は、ｇｏドラム１０００の別の例示的な実施形態の側面図を示す。図１０に示す例示的な実施形態では、他の例示的な実施形態に存在するのと同様に多数の要素が存在する。ｇｏドラム１０００は、本体１００２と、構成要素シャフト１００８と、本体１００２の孔１００７とを有し、孔１００７から構成要素シャフト１００８が延びて、本体１００２内に格納すべき構成要素又は凹部を保持する。ｇｏドラム１０００は、脚部シャフト１０１２と脚部シャフトロック機構１０１０とを有する。バー１０１４は、脚部シャフト１０１２同士を接続し、様々なペダルをｇｏドラム１０００に取り付けて固定するための支持を可能にする。本体１００２は、本体１００２上に構成要素１０４０を有する。本体１００２は、ドラムスティックが本体１００２の内部に挿入されることがあるドラムスティックホール１０２２を有する。特定の実施形態では、ドラムスティックは、ドラム１０００上で使用されないときにドラムスティックホール１０２２に格納されてもよい。図１０に示す例示的な実施形態には、異なる構成要素構成がある。図１０に示す実施形態では、各構成要素シャフト１００８に構成要素が取り付けられる。
【００３０】
ｇｏドラム１０００は、上述のドラムキック１８０と同様なドラムキック１０８０を備える。ｇｏドラム１０００は、各構成要素シャフト１００８に取り付けられた構成要素１０５０、１０６０、１０７０、及び１０９０を備える。特定の実施形態では、構成要素１０７０は、構成要素１０７０を足によって操作するために使用されるハイハットペダル１０７２を含む、上述の構成要素１７０と同様なハイハットであってもよい。図１０に示す実施形態では、構成要素１０７０は、左前構成要素シャフト１００８に取り付けられている。特定の実施形態では、構成要素１０６０は、上述の構成要素１６０と同様なシンバルであってもよい。図１０に示す実施形態では、構成要素１０６０は、左後構成要素シャフト１００８に取り付けられている。特定の実施形態では、構成要素１０５０は２音程タムであってもよい。特定の実施形態では、構成要素１０５０はフレットを備えてもよい。特定の実施形態では、構成要素１０５０はチューニング可能であってもよい。特定の実施形態では、構成要素１０５０は、フレットを備え、２音程であり、チューニング可能であってもよい。図１０に示す実施形態では、構成要素１０５０は右後構成要素シャフト１００８に取り付けられている。特定の実施形態では、構成要素１０９０は、上述の構成要素１５０のようなタムであってもよい。特定の実施形態では、構成要素１０９０は低音タムであってもよい。特定の実施形態では、構成要素１０９０はチューナブルタムであってもよい。特定の実施形態では、構成要素１０９０は、低音チューナブルタムであってもよい。
【００３１】
図１１Ａ〜図１１Ｃは、ｇｏドラム１０００の一部、特にハイハットペダル１１７２を示す。特定の実施形態では、ハイハットペダル１１７２は、上述の構成要素１７２及び１０７２と同様なハイハットペダルであってもよい。ハイハットペダル１１７２は、フットボード１１７２Ａと、ベースプレート１１７２Ｂと、コネクタ１１７２Ｃとを含むいくつかの部品で構成される。特定の実施形態では、コネクタ１１７２Ｃは、フットボード１１７２Ａ及びベースプレート１１７２Ｂを接続するヒールヒンジなどのヒールヒンジであってもよい。特定の実施形態では、プリングコネクタ１１７４がコネクタ１１７２Ｃの反対側でフットボード１１７２Ａに取り付けられる。
【００３２】
特定の実施形態では、ハイハットペダル１１７２はフック１１７３を介してバー１０１４に取り付けられる。特定の実施形態では、フック１１７３は、図１１Ｂ及び図１１Ｃに示すようにバー１１１４の長穴１１１５に取り付けられる角度付き下向き突起を有する金属バーであってもよい。フック１１７３は、長穴が設けられ、それによって、ドラム本体から様々な距離に取り付けられる場合がある固着フックであってもよい。フック１１７３の長穴は、フック１１７３の長さの一部に亘って延びてもよく、又はフック１１７３の実質的に全長に亘って延びてもよい。特定の実施形態では、バー１１１４の長穴１１１５に取り付けられるフック１１７３の端部は角度付けられ、それによって、ハイハットペダル１１７２はドラムの本体に対して角度付けられてもよい。特定の実施形態では、フック１１７３の端部はフック１１７３の側縁部に垂直であってもよく、それによって、ハイハットペダル１１７２はドラムの本体に垂直であってもよい。特定の実施形態では、フック１１７３は、フック１１７３をフック１１７３の長穴を通してベースプレート１１７２Ｂに堅固に締結する蝶ネジ１１７６によってハイハットペダル１１７２に固着されてもよい。
【００３３】
図１２Ａ〜図１２Ｃは、ｇｏドラムとともに使用されてもよい例示的なチューナブルタム１２００を示す。図１２Ａは、例示的なチューナブルタム１２００の上面図を示す。図１２Ｂは、例示的なチューナブルタム１２００の側面図を示す。図１２Ｃは、例示的なチューナブルタム１２００の底面図を示す。特定の実施形態では、チューナブルタム１２００は方形フレームを形成する薄板１２０３Ａ、１２０３Ｂ、１２０２Ａ、１２０２Ｂを備える。特定の実施形態では、ドラムヘッド１２０４がバー１２０６Ａ及び１２０６Ｂによって薄板１２０２Ａ及び１２０２Ｂに固定され、バー１２０６Ａ及び１２０６Ｂはそれぞれ、１つ又は複数のネジによって薄板１２０２Ａ及び１２０２Ｂに取り付けられる。特定の実施形態では、ドラムヘッド１２０４は、薄板１２０３Ａ、１２０３Ｂ、１２０２Ａ、１２０２Ｂの方形フレームによって形成される表面全体を覆う。特定の実施形態では、薄板１２０２Ａ及び１２０２Ｂは、チューナブルタム１２００の音程を下げるか又は上げるために長さを長くされるか又は短くされるチューニングロッド１２０８によって接続される。特定の実施形態では、チューニングノブ１２１０はチューニングロッド１２０８の長さを調節する。特定の実施形態では、薄板１２０３Ａ及び１２０３Ｂは、薄板１２０２Ａに近接する薄板の端部上にそれぞれスリット１２１５Ａ、１２１５Ｂ（図示せず）を有する。特定の実施形態では、チューナブルタム１２００を構成要素シャフトに取り付けるための取付け穴１２１４と、チューナブルタム１２００を構成要素シャフトに固定する取付けネジ１２１２とを有してもよい。特定の実施形態では、ネジ１２１６Ｂが側部薄板１２０３Ａを側部薄板１２０２Ｂに固定する。図１２Ｂに示すように、特定の実施形態では、ネジ１２１６Ａが、スリット１２１５Ａを通して側部薄板１２０２Ａに固定される。特定の実施形態では、スリット１２１５Ａは、チューニングロッド１２０８の長さが変化するにつれて薄板１２０２Ａが自由に移動するのを可能にする。
【００３４】
図１３Ａ〜図１３Ｃは、ｇｏドラムとともに使用される場合がある別の例示的なチューナブルタム１３００のそれぞれに異なる図を示す。特定の実施形態では、図１３Ａ〜図１３Ｃに示す別の例示的なチューナブルタム１３００は、フレット付き２音程チューナブルタムであってもよい。図１３Ａは、別の例示的なチューナブルタム１３００の上面図を示す。図１３Ｂは、別の例示的なチューナブルタム１３００の側面図を示す。図１３Ｃは、別の例示的なチューナブルタム１３００の底面図を示す。特定の実施形態では、チューナブルタム１３００は、方形フレームを形成する薄板１３０２Ａ、１３０２Ｂ、１３０３Ａ、１３０３Ｂを備える。特定の実施形態では、ネジ１３１６Ａが側部薄板１３０２Ｂの第１の端部を側部薄板１３０３Ａの第１の端部に固定し、ネジ１３１６Ｂが側部薄板１３０２Ｂの第２の端部を側部薄板１３０３Ｂの第１の端部に固定し、ネジ１３１６Ｃが側部薄板１３０３Ｂの第２の端部を側部薄板１３０２Ａの第１の端部に固定し、ネジ１３１６Ｄが側部薄板１３０２Ａの第２の端部を側部薄板１３０３Ａの第２の端部に固定する。
【００３５】
特定の実施形態では、ドラムヘッド１３０４は、バー１３０６Ａ及び１３０６Ｂによって薄板１３０３Ａ及び１３０３Ｂに固定され、バー１３０６Ａ及び１３０６Ｂはそれぞれ、１つ又は複数のネジによって堅固に取り付けられた薄板１３０３Ａ及び１３０３Ｂ上に取り付けられる。特定の実施形態では、ドラムヘッド１３０４は、薄板１３０２Ａ、１３０２Ｂ、１３０３Ａ、１３０３Ｂの方形フレームによって形成される表面全体を覆う。特定の実施形態では、隆起した薄板１３２０が、薄板１３０３Ａから、薄板１３０３Ａと薄板１３０３Ｂの間の距離の約３分の１離れた位置において、薄板１３０２Ａと薄板１３０２Ｂとの間に延びている。特定の実施形態では、隆起した薄板１３２０は、固定位置に位置し、薄板１３０２Ａ及び１３０２Ｂに取り付けられてもよい。特定の実施形態では、隆起した薄板１３２０は、薄板１３０３Ａからの距離が短くなるか又は長くなるように調整可能であってもよい。たとえば、隆起した薄板１３２０は、薄板１３０３Ａから非常に短い距離に位置してもよく、また薄板１３０３Ａと薄板１３０３Ｂの間の距離の約２分の１になるまで薄板１３０３Ａから任意の距離に位置してもよい。
【００３６】
特定の実施形態では、隆起した薄板１３２０は、ドラムヘッド１３０４が張力を受けている間位置する表面を形成する。特定の実施形態では、薄板１３２０は、チューナブルタム１３００の２つの音程を生成するフレットであってもよい。たとえば、ドラムヘッド１３０４の部分１３０４Ａは、ドラムヘッド１３０４の部分１３０４Ｂよりも高い音程を有してもよい。薄板１３０３Ａと薄板１３０３Ｂの間の隆起した薄板１３２０の位置に応じて、ドラム１３０４の部分１３０４Ａと部分１３０４Ｂは、様々な音程の任意の組合せを有してもよい。
【００３７】
特定の実施形態では、薄板１３０３Ａ及び１３０３Ｂは、チューナブルタム１３００のドラムヘッド１３０４の部分１３０４Ａ、１３０４Ｂのそれぞれの音程を下げるか又は上げるために長さを長くされるか又は短くされるチューニングロッド１３０８によって接続される。特定の実施形態では、チューニングノブ１３１０がチューニングロッド１３０８の長さを調節する。特定の実施形態では、薄板１３０２Ａ及び１３０２Ｂの各々はそれぞれ、薄板１３０２Ａ、１３０２Ｂに近接する薄板の端部上にそれぞれスリット１３１５Ａ、１３１５Ｂを有する。特定の実施形態では、各スリット１３１５Ａ、１３１５Ｂは、チューニングロッド１３０８が長くなり短くなるにつれて薄板１３０３Ｂを案内する。図１２Ｂに示すように、特定の実施形態では、ネジ１３１６Ａが固定位置において薄板１３０３Ａに取り付けられる。そして、ネジ１３１６Ｂがスリット１３１５Ｂを通して側部薄板１３０３Ｂに固定される。特定の実施形態では、スリット１３１５Ｂは、チューニングロッド１３０８の長さが変化するにつれて薄板１３０３Ｂが自由に移動するのを可能にする。
【００３８】
特定の実施形態では、チューナブルタム１３００は旋回式取付部１３３０を有してもよい。図１３Ｄ〜図１３Ｉは、別の例示的なタム１３００又は任意の他の種類のタムに取り付けられる場合がある例示的な旋回式取付部１３３０のそれぞれに異なる図を示す。図１３Ｄは、チューニングロッド１３０８及び構成要素シャフト１３０７に取り付けられた例示的な旋回式取付部１３３０の底面斜視図を示す。特定の実施形態では、旋回式取付部１３３０は、薄板１３０３Ａと薄板１３２０の間のチューニングロッド１３０８上の任意の位置において、又は薄板１３２０と薄板１３０３Ｂとの間のチューニングロッド１３０８上の任意の実現可能な位置においてチューニングロッド１３０８に取り付けられる。
【００３９】
図１３Ｅは、例示的な旋回式取付部１３３０の背面図を示す。図１３Ｆは、例示的な旋回式取付部１３３０の正面図を示す。図１３Ｇは、例示的な旋回式取付部１３３０の上面図を示す。図１３Ｈは、例示的な旋回式取付部１３３０の底面図を示す。図１３Ｉは、例示的な旋回式取付部１３３０の側面図を示す。各図を見るとわかるように、旋回式取付部１３３０は、構成要素シャフト取付け本体１３３８に接続された取付け本体１３３２と、締付けネジ１３３４、１３３６とで構成される。特定の実施形態では、取付け本体１３３２は、取付け本体１３３２の一部が、取付け本体１３３２が取り付けられたバーを囲むように形作られる。取付け本体１３３２は、締付けネジ１３３４によって取り付けられたバーに固定され、締付けネジ１３３４は、取付け本体１３３２が取り付けられたロッドに対する取付け本体１３３２の把持圧を強めるか又は弱めるために締め付けられるか又は緩められる。特定の実施形態では、構成要素シャフト取付け本体１３３８は、構成要素シャフトの端部に嵌るように形作られる。構成要素シャフト取付け本体１３３８は、締付けネジ１３３６によって構成要素シャフト１３０７に堅固に保持される。構成要素シャフト取付け本体１３３８は各図において概してロッドの端部に嵌る円筒形として示されているが、構成要素シャフト取付け本体は、取付け本体１３３２がチューニングロッド１３０８に取り付けられるのと同様に旋回式取付部１３３０を構成要素シャフトの別の部分上に取り付けることができるように、取付け本体１３３２と同様に形作ることができる。
【００４０】
図１４Ａ〜図１４Ｂは、ｇｏドラム１４００の内部の格納構造の例示的な実施形態を示す。図１４Ａは、構成要素が存在しないｇｏドラム１４００の内部１４２０を示す。特定の実施形態では、図１４Ａ〜図１４Ｂの本体１４０２は、側面１４０２Ａ、１４０２Ｂ、１４０２Ｃ、１４０２Ｄ、１４０２Ｅ、及び１４０２Ｆを含む６つの側面を備えてもよい。特定の実施形態では、側面１４０２Ｃは、本体１４０２の内部１４２０に開放してもよい。特定の実施形態では、図１４Ａ〜図１４Ｂに示すように構成要素シャフト１４０８を支持する４つのシャフト支持キャビティ１４２１があってもよい。特定の実施形態では、ストラップ１４２５が２つの固定点において側面１４０２Ｆに永続的に取り付けられてもよい。特定の実施形態では、ストラップ１４２５は、図示されていないが、内部１４２０に緩く取り付けられていてもよい。あるいは特定の実施形態では、ストラップ１４２５は、図示のように、フック又は他の取付け手段の周りに配置することによって側面１４０２Ｄに固定されてもよい。特定の実施形態では、ストラップ１４２５は、構成要素１４８０及び１４７２の上に配置され、側面１４０２Ｄ上のフック又は他の取付け手段の周りに固定されることによって構成要素１４８０及び１４７２を固定する。特定の実施形態では、ストラップ１４２５は、バンジー又は他の種類の弾性ストラップであってもよい。特定の実施形態では、内部１４２０は、側面１４０２Ｄから突き出し側面１４０２Ｄに垂直な水平格納ロッド１４３０を備える。特定の実施形態では、格納ロッド１４３０は、ハイハット及びシンバルを格納するために使用されてもよい。特定の実施形態では、内部１４２０は、タム及び他の構成要素を固定するための格納ブレース１４４０を備える。特定の実施形態では、格納ブレース１４４０は、水平バーと、垂直バーの対とを備える。特定の実施形態では、格納ブレース１４４０の水平バーは側面１４０２Ｂに取り付けられてもよく、格納ブレース１４４０の垂直バーの対は、側面１４０２Ｆに取り付けられてもよい。特定の実施形態では、格納ブレース１４４０の水平バーは、木材、プラスチック、金属、又は別の固体材料で構成されてもよい。特定の実施形態では、格納ブレース１４４０の垂直バーは、木材、プラスチック、金属、又は別の固体材料であってもよい。
【００４１】
図１４Ｂは、本体１４０２の内部１４２０に様々な構成要素が格納されたｇｏドラム１４００の内部を示す。図１４Ｂの例示的な実施形態では、構成要素１４５０、１４６０、１４７０、１４７２、１４８０、１４９０は、内部１４２０において様々な固定位置に収容されている。特定の実施形態では、格納ブレース１４４０が、タムの変形例である場合がある構成要素１４５０及び１４９０の格納などのために、タム格納構造として使用されてもよい。特定の実施形態では、水平格納ロッド１４３０は、シンバルであってもよい構成要素１４６０の格納、及びハイハットであってもよい構成要素１４７０の格納など、ハイハット及びシンバルを格納するために使用されてもよい。特定の実施形態では、ドラムキック１４８０及びハイハットペダル１４７２は、ストラップ１４２５によって側面１４０２Ｆに接した状態で固定されてもよい。
【００４２】
図１５は、ｇｏドラム１５００の閉鎖された例示的な実施形態の上面図である。図１５の例示的な実施形態では、構成要素１５４０、１５５０、及び１５９０は、構成要素１５４０、１５５０、及び１５９０が閉鎖位置に配置されたときに本体１５０２の頂側面を備える。特定の実施形態では、構成要素１５６０及び１５７０は、本体１５０２内に格納されてもよい。特定の実施形態では、構成要素１５４０は、本開示内の他の箇所で説明するスネアのようなスネアであってもよい。特定の実施形態では、構成要素１５５０は、本開示内の他の箇所で説明するフロアタムのようなフロアタムであってもよい。特定の実施形態では、構成要素１５６０は、本開示内の他の箇所で説明するシンバルのようなシンバルであってもよい。特定の実施形態では、構成要素１５６０は、本体１５０２内にゆったりと収容されてもよい。特定の実施形態では、構成要素１５６０は、構成要素シャフト１５０８に堅固に取り付けられ本体１５０２内に収容されてもよい。特定の実施形態では、構成要素１５７０は、本開示内の他の箇所で説明するハイハットのようなハイハットであってもよい。特定の実施形態では、構成要素１５７０は、本体１５０２内にゆったりと収容されてもよい。特定の実施形態では、構成要素１５７０は、構成要素シャフト１５０８に堅固に取り付けられ本体１５０２内に収容されてもよい。特定の実施形態では、構成要素１５９１はフレット付きタムであってもよい。特定の実施形態では、構成要素１５４０、１５５０、及び１５９０はチューニング可能であってもよい。構成要素１５４０はチューニングノブ１５４１を有してもよい。構成要素１５５０は、チューニングノブ１５５１を有してもよい。構成要素１５９０は、チューニングノブ１５９１を有してもよい。
【００４３】
図１６は、ｇｏドラム１５００の開放された例示的な実施形態の上面図を示す。図１６に示す開放された例示的な実施形態では、構成要素１５４０、１５５０、及び１５９０は、ヒンジ（図示せず）によって本体１５０２に接続され、本体１５０２から開放されている。特定の実施形態では、構成要素１５４０及び構成要素１５５０は、本体１５０２の外側に取り付けられたヒンジによって本体１５０２に取り付けられ、１〜１８０°の角度に開放される。特定の実施形態では、構成要素１５９０は、構成要素１５９０が開放され、中心クロスバーから１〜９１°の角度に回動するのを可能にするヒンジによって本体１５０２の中心クロスバーに取り付けられる。構成要素１５９０が引上げ位置にあるとき、構成要素１５９０の下方の構成要素シャフト１５０８は、引き上げられ本体１５０２の外側に固定されてもよい。特定の実施形態では、構成要素１５６０及び構成要素１５７０は、構成要素１５６０及び構成要素１５７０に取り付けられた構成要素シャフト１５０８が本体１５０２から引き上げられ得るように、本体１５０２内に位置する。
【００４４】
図１７は、ｇｏドラム１５００の開放され、組み立てられ、演奏可能な実施形態の上面図を示す。図１７の開放され、組み立てられ、演奏可能な実施形態では、構成要素１５４０、１５５０、１５６０、１５７０、１５８０、及び１５９０は、ｇｏドラム１５００が演奏可能になるように位置する。構成要素１５７０は、プリングコネクタ１７７４によって左前構成要素シャフト１５０８及びハイハットペダル１５７２に取り付けられる。構成要素１５４０は、本体１５０２の頂面において閉鎖位置にある。構成要素１５５０は、本体１５０２から外され、左後構成要素シャフト１５０８に取り付けられる。構成要素１５６０は、右前構成要素シャフト１５０８に取り付けられる。構成要素１５６５は、右後構成要素シャフト１５０８に取り付けられる。構成要素１５８０は、本体１５０２の右隣に配置される。特定の実施形態では、構成要素１５９０は、１°から９０°未満の間の引上げ位置にある。構成要素シャフト１５０８は、図１８に示すシャフトロック機構１５０６によって所定の位置に固定される。
【００４５】
図１８は、ｇｏドラム１５００の開放され、組み立てられ、演奏可能な実施形態の側面図を示す。特定の実施形態では、構成要素１５８０は、本明細書内の他の箇所で説明するドラムキックのようなドラムキックである。図１８に示す実施形態では、構成要素１５８０は、バー１５１４によってｇｏドラム１５００に取り付けられ、ハイハットペダル１５７２は、本体１５０２の反対側で別のバー１５１４に取り付けられる。特定の実施形態では、構成要素１５８０は、本体１５０２の側面１５０２Ａを叩くように位置する。側面１５０２Ａは、本体１５０２の残りの部分と同じ材料で構成されてもよく、又はマイラー樹脂などの材料で構成されてもよい。特定の実施形態では、側面１５０２Ａはチューニング可能であってもよい。特定の実施形態では、側面１５０２Ａは、チューニング可能でありマイラー樹脂で構成されてもよい。図１８に示す実施形態では、本体１５０２に締結された脚部シャフト１５１２によって引き上げられる。特定の実施形態では、脚部シャフトは、外側脚部取付部１５１１Ａ、１５１１Ｂによって本体１５０２の外側に締結され、ネジ１５１０Ａ、１５１０Ｂによって特定の位置に固定される。
【００４６】
図１９は、ｇｏドラム１９００の開放され、組み立てられた別の実施形態の側面図を示す。特定の実施形態では、ｇｏドラム１９００は、いくつかの構成要素１９４０、１９５０、１９６０、１９６５、１９７０、１９８０、及び１９９０を有する。特定の実施形態では、構成要素１９４０は、構成要素１９４０をドラム本体１９０２に取り付けるヒンジ１９０３を有するスネアであってもよい。特定の実施形態では、構成要素１９４０は、チューニングノブ１９４１を有してもよい。構成要素１９４０が閉鎖位置から１８０°まで開放されると、ノブ１９４１は、本体１９０２の孔１９０１を通過する。特定の実施形態では、構成要素１９５０は、構成要素１９５０をドラム本体１９０２に取り付けるヒンジ１９０３を有するフロアタムであってもよい。特定の実施形態では、構成要素１９５０は、チューニングノブ１９５１を有してもよい。構成要素１９５０が閉鎖位置から１８０°まで開放されると、ノブ１９５１は、本体１９０２の孔１９０１を通過する。特定の実施形態では、構成要素１９６０及び構成要素１９６５はシンバルであってもよい。特定の実施形態では、構成要素１９６０及び１９６５は、構成要素シャフト１９０８に取り付けられる。構成要素シャフト１９０８は、本体１９０２の上方の引上げ位置に固定され、締付けネジ１９０６によって固定される。特定の実施形態では、構成要素１９７０は、プリングコネクタ１９７４を介してハイハットペダル１９７２に接続されたハイハットであってもよい。特定の実施形態では、ハイハットペダル１９７２がバー１９１４によって本体１９０２に接続される。特定の実施形態では、構成要素１９８０は、本体１９０２の側面１９０２Ａを叩くように位置するキックペダルであってもよい。特定の実施形態では、側面１９０２Ａはノブ１９０２Ａ１によってチューニング可能であってもよい。特定の実施形態では、構成要素１９８０は、右足によって演奏すべき位置になるようにバー１９１４によってｇｏドラム１９００に堅固に接続されてもよい。特定の実施形態では、構成要素１９９０は、上述のフレット付きタムなどのフレット付きタムであってもよい。特定の実施形態では、構成要素１９９０は９０°未満の角度で引上げ位置に位置してもよい。特定の実施形態では、構成要素１９９０は引上げ位置で演奏可能であってもよい。特定の実施形態では、ｇｏドラム１９００は脚部シャフト１９１２上の引上げ位置に位置する。脚部シャフト１９１２は、脚部取付部１９１１を介して所定の位置に固定され、ネジ１９１０によって堅固に締結される。
【００４７】
本明細書では、「又は」は、特に明示的な指示がない限り又は文脈による指示がない限り、包含的であり排他的ではない。したがって、本明細書では、「Ａ又はＢ」は、特に明示的な指示がない限り又は文脈による指示がない限り、「Ａ、Ｂ、又はその両方」を意味する。さらに、「及び」は、特に明示的な指示がない限り又は文脈による指示がない限り、共同と各別の両方である。したがって、本明細書では、「Ａ及びＢ」は、特に明示的な指示がない限り又は文脈による指示がない限り、「ＡとＢの共同又は各別」を意味する。
【００４８】
本開示は、当業者が理解する本明細書の例示的な実施形態に対するすべての変更、置換、変形、改変、及び修正を包含する。さらに、特定の機能を、実行するように適合され、実行するように配置され、実行することができ、実行するように構成され、実行するのを可能にされ、実行するように動作可能であり、又は実行するように動作する装置もしくはシステム又は装置もしくはシステムの構成要素に対する添付の特許請求の範囲における言及は、それ又はその特定の機能がアクティブ化されるか、オンにされるか、それともロック解除されるかにかかわらず、その装置、システム、又は構成要素がそのように実行するように適合され、実行するように配置され、実行することができ、実行するように構成され、実行するのを可能にされ、実行するように動作可能であり、又は実行するように動作する限りその装置、システム、構成要素を包含する。
【符号の説明】
【００４９】
１００  ｇｏドラム
１０２  本体
１０２Ａ  側面
１０４  響孔
１０６  構成要素シャフトロック機構
１０７  孔
１０８  構成要素シャフト
１１４  バー
１１６  ハンドヘルド
１２０  内部キャビティ
１２１  シャフト支持キャビティ
１４０  頂面構成要素
１５０、１６０、１７０  構成要素
１７２  ハイハットペダル
１７３  ハイハットペダルバー
１７４  プリングコネクタ
１８０  ドラムキック
１８１  ドラムペダル
１８２  ドラムペダルベース
１８３  キックペダルバー
１８４  ビーターマウント
１８５  スプリング
１８６  コネクタ
１８７  ビーターエクステンション
１８８  ビーター
１０００  ｇｏドラム
１００２  本体
１００８  構成要素シャフト
１０１０  脚部シャフトロック機構
１０１２  脚部シャフト
１０１４  バー
１０２２  ドラムスティックホール
１０４０  構成要素
１０５０、１０６０、１０７０  構成要素
１０８０  ドラムキック
１０９０  構成要素
１１１４  バー
１１１５  長穴
１１７２  ハイハットペダル
１１７２Ｂ  ベースプレート
１１７２Ｃ  コネクタ
１１７３  フック
１１７６  蝶ネジ
１２００  チューナブルタム
１２０３Ａ、１２０３Ｂ、１２０２Ａ、１２０２Ｂ  薄板
１２０４  ドラムヘッド
１２０６Ａ、１２０６Ｂ  バー
１２０８  チューニングロッド
１２１０  チューニングノブ
１２１４  取付け穴
１２１５Ａ、１２１５Ｂ  スリット
１２１６Ａ、１２１６Ｂ  ネジ
１３００  チューナブルタム
１３０２Ａ、１３０２Ｂ、１３０３Ａ、１３０３Ｂ  薄板
１３０４  ドラムヘッド
１３０４Ａ、１３０４Ｂ  部分
１３０６Ａ、１３０６Ｂ  バー
１３０７  構成要素シャフト
１３０８  チューニングロッド
１３１０  チューニングノブ
１３１５Ａ、１３１５Ｂ  スリット
１３１６Ａ、１３１６Ｂ、１３１６Ｃ、１３１６Ｄ  ネジ
１３２０  隆起した薄板
１３３０  旋回式取付部
１３３２  取付け本体
１３３４、１３３６  取付けネジ
１３３８  取付け本体
１４００  ｇｏドラム
１４０２  本体
１４０２Ａ、１４０２Ｂ、１４０２Ｃ、１４０２Ｄ、１４０２Ｅ、４０２Ｆ  側面
１４０８  構成要素シャフト
１４２０  内部
１４２５  ストラップ
１４３０  水平格納ロッド
１４４０  格納ブレース
１４５０、１４６０、１４７０、１４７２、１４８０、１４９０  構成要素
１５００  ｇｏドラム
１５０２  本体
１５０２Ａ  側面
１５０８  構成要素シャフト
１５１０Ａ、１５１０Ｂ  ネジ
１５１１Ａ、１５１１Ｂ  外側脚部取付部
１５１２  脚部シャフト
１５１４  バー
１５４０、１５５０、１５６０、１５６５、１５７０、１５８０、１５９０  構成要素
１５４１、１５５１、１５９１  チューニングノブ
１５７２  ハイハットペダル
１７７４  プリングコネクタ
１９００  ｇｏドラム
１９０１  孔
１９０２  本体
１９０３  ヒンジ
１９０８  構成要素シャフト
１９１０  ネジ
１９１１  脚部取付部
１９１２  脚部シャフト
１９１４  バー
１９４０、１９５０、１９６０、１９６５、１９７０、１９８０、１９９０  構成要素
１９４１、１９５１  チューニングノブ
１９７２  ハイハットペダル
１９７４  プリングコネクタ
【図１】
2020507820.tif 000003
【図２】
2020507820.tif 000004
【図３】
2020507820.tif 000005
【図４】
2020507820.tif 000006
【図５】
2020507820.tif 000007
【図６】
2020507820.tif 000008
【図７】
2020507820.tif 000009
【図８】
2020507820.tif 000010
【図９Ａ】
2020507820.tif 000011
【図９Ｂ】
2020507820.tif 000012
【図１０】
2020507820.tif 000013
【図１１Ａ】
2020507820.tif 000014
【図１１Ｂ】
2020507820.tif 000015
【図１１Ｃ】
2020507820.tif 000016
【図１２Ａ】
2020507820.tif 000017
【図１２Ｂ】
2020507820.tif 000018
【図１２Ｃ】
2020507820.tif 000019
【図１３Ａ】
2020507820.tif 000020
【図１３Ｂ】
2020507820.tif 000021
【図１３Ｃ】
2020507820.tif 000022
【図１３Ｄ】
2020507820.tif 000023
【図１３Ｅ】
2020507820.tif 000024
【図１３Ｆ】
2020507820.tif 000025
【図１３Ｇ】
2020507820.tif 000026
【図１３Ｈ】
2020507820.tif 000027
【図１３Ｉ】
2020507820.tif 000028
【図１４Ａ】
2020507820.tif 000029
【図１４Ｂ】
2020507820.tif 000030
【図１５】
2020507820.tif 000031
【図１６】
2020507820.tif 000032
【図１７】
2020507820.tif 000033
【図１８】
2020507820.tif 000034
【図１９】
2020507820.tif 000035
【国際調査報告】
2020507820.tif 000036